【事件の表示】
　平成１０年特許願第　７７３８７号「スプリング案内保持装置」拒絶査定不服審判事件〔平成１１年１１月　２日出願公開、特開平１１−３０３９１５〕について、次のとおり審決する。
【結　論】
　本件審判の請求は、成り立たない。
【理　由】
１．手続の経緯と本件発明
　本願は、平成１０年３月２５日の出願であって、平成１９年１１月８日付で拒絶査定がなされたものであり、平成２０年１月２２日に拒絶査定を不服とする審判請求がなされるとともに、同日付で明細書を補正対象書類とする手続補正がなされ、その後、当審による平成２１年７月１５日付審尋に対して同年９月２４日付で回答書が提出され、当審による平成２１年１１月４日付拒絶理由通知に対して平成２２年１月１２日付で手続補正がなされたものである。
　本願の特許請求の範囲の請求項１に係る発明（以下、「本件発明」という。）は、平成２２年１月１２日付手続補正により補正された特許請求の範囲の請求項１に記載された事項により特定されるとおりのものと認められるところ、請求項１の記載は次の通りである。
「スタンピング型と連携して使用されるスプリングに使用されるスプリング案内保持装置であって、前記スタンピング型は上型と下型とを備え、さらに、スプリングが圧縮された時に加工品に接触する上型と連携するパッドを備えており、前記スプリング案内保持装置は、前記スプリングの一端を前記パッドの成形面と反対側の面の所定位置に位置決めさせるためのスプリング案内ハウジングと、前記スプリングの圧縮中に前記スプリングが座屈せずに一直線状になるように前記スプリング案内ピンを受けるために前記上型に取り付けられたスプリング案内ホルダーと、このスプリング案内ホルダーに対し摺動自在に係合するとともに前記パッドに取り付けられたスプリング案内ピンとを備え、また前記スプリング案内ピンはパッド内まで連続しその先端がパッド内に止まるネジによって前記パッドに取り付けられ、前記スプリング案内ハウジングは前記スプリング案内ピンと前記パッドとの間に挟まれて固定されていることを特徴とするスプリング案内保持装置。」
　
２．当審の拒絶理由の概要
　当審が平成２１年１１月４日付で通知した拒絶理由の概要は、本願の発明が以下の刊行物に記載された発明（事項）に基づいて当業者が容易に発明をすることができたものであるから、特許法第２９条第２項の規定により特許を受けることができないというものである。
　刊行物１：　特開平８−１５５５５８号公報
　刊行物２：　実願平３−４９３２４号（実開平５−１０４１号）の
　　　　　　　ＣＤ−ＲＯＭ
　
３．刊行物記載の発明（事項）
3.1　刊行物１
ａ．（明細書段落【００１９】〜【００２０】）
「【００１９】前記プレス成形加工方法に使用する第１のプレス成形加工装置は、低温域に冷却されたアルミニウム又はアルミニウム合金素材の成形加工を行う上型及び下型と、上型又は下型のダイフェースに前記アルミニウム又はアルミニウム合金素材を押圧固定するブランクホルダと、前記上型と下型との成形加工に先立って前記アルミニウム又はアルミニウム合金素材の１部分の成形加工を行う中型を、前記上型又は下型の少なくとも一方に相対的に上下動可能に備えてなるものである。
【００２０】そして、中型は、上型又は下型に対して常に突出する方向へ付勢されている構成である。」
ｂ．（明細書段落【００４２】〜【００４６】）
「【００４２】本実施例に係る成形加工装置１は、例えば液体窒素又は液体ヘリウム等の冷媒に浸漬することによって全体を約−５０℃〜−１９６℃の低温域に冷却されたアルミニウム又はアルミニウム合金板の素材Ｍの成形加工を行う上型３と下型５を備えると共に、上型３のダイフェース７に前記素材Ｍを押圧固定するブランクホルダ９を備えている。
【００４３】前記上型３は下型５と係合することによって前記素材Ｍの成形加工を行うものであって、上型３は、本実施例においては、ポンチとして例示した下型５と係合する凹部１１を備えたダイとして例示してある。上記上型３の凹部１１内には、下型５の上部に形成した型凹部１３と係合して素材Ｍの成形加工を行う型凸部１５を備えた中型１７が相対的に上下動可能に設けられている。
【００４４】そして、前記中型１７は、例えばスプリング，ゴム等のごとき弾性部材あるいは流体シリンダ，エアクッション等のごとく流体圧を利用した弾性機構などのごとき適宜の付勢手段１９（本実施例においてはスプリングで例示してある）によって常に上型３から突出する方向（本実施例においては下方向）へ付勢されている。
【００４５】前記上型３はプレス機械において上下動自在なスライド２１に装着され、下型５はボルスタ２３に装着されている。また、前記ブランクホルダ９は上下動自在なクッションピン２５に支持されている。」
ｃ．（図1）
　スプリングからなる付勢手段が、中型の成形面と反対側と、上型との間に備えられていることが、理解されるように示されていると認める。
　
　上記において、上型、下型及び中型がスタンピング型を構成することは当業者にとって自明であるから、摘記事項を、技術常識を考慮しつつ、本件発明の記載に沿って整理すると、刊行物１には次の事項（以下、「刊行物１記載の事項」という。）が記載されていると認められる。
「上型と下型とを備え、さらに、スプリングが圧縮された時に加工品に接触する上型と連携する中型を備えたスタンピング型であって、スタンピング型と連携して使用されるスプリングを中型の成形面と反対側の面と上型との間に備えたスタンピング型。」
　
3.2　刊行物２
ａ．（明細書段落【０００２】〜【０００３】）
「　　【０００２】
　【従来の技術】
　近時、椅子の背もたれに弾性反発力を付与するための反力ユニットとして、例えば、図７に示すものが開発されている。すなわち、この反力ユニットは、軸心方向の圧縮力に対して反発する圧縮コイルバネａと、この圧縮コイルバネａの端部をそれぞれ保持する対をなす合成樹脂製のマウント部材ｂ、ｃとを具備している。各マウント部材ｂ、ｃは、圧縮コイルバネａの端面を係止するための係止面を有した本体ｄ、ｅと、この本体ｄ、ｅから一体に突設され圧縮コイルバネａの内周に挿入される円筒体状のボス部ｆ、ｇとを備えている。そして、一方のマウント部材ｂのボス部ｆの内周にローレット加工部ｈを有した金属製のスライドシャフトｉの基端部を圧入固定し、このスライドシャフトｉの先端側を他方のマウント部材ｃのボス部ｇの内周に摺動可能に嵌入させている。
　　　【０００３】
　【考案が解決しようとする課題】
　このように圧縮コイルバネａと対をなすマウント部材ｂ、ｃとをユニット化しておけば、組立時の作業性を良好なものにすることができ、また、前記圧縮コイルバネａの座屈を前記スライドシャフトｉの案内作用により効果的に防止して、圧縮コイルバネａの性能を適切に発揮させることができる。」
ｂ．（明細書段落【００１７】〜【００２１】）
「　　【００１７】
　一方のマウント部材７は、図４〜図６に示すように、圧縮コイルバネ６の端面を係止するための係止面７２を有した本体７１と、この本体７１から一体に突設され圧縮コイルバネ６の内周に挿入されるボス部７３と、このボス部７３の先端から一体に突設した該ボス部７３よりも小径なピン軸部７４とを備えている。ボス部７３の外周には幅広溝状をなす複数本の凹陥部７５が形成してある。図示例では４本の凹陥部７５を形成することにより、ボス部７３を横断面略十字形のものにしているが、必ずしも４本に限られるものではない。他方のマウント部材８は、前記圧縮コイルバネ６の端面を係止するための係止面８２を有した本体８１と、この本体８１から一体に突設され圧縮コイルバネ６の内周に挿入されるボス部８３とを備えており、このボス部８３に前記一方のマウント部材７のピン軸部７４が摺動可能に嵌入する空洞８４を設けている。各マウント部材７、８は、合成樹脂、例えば、ガラス強化樹脂により一体に成形されたものであり、圧縮コイルバネ６に対する摺動面に、それぞれグリス溜り７６、８６、８７を形成してある。すなわち、図４および図５に示すように、圧縮コイルバネ６の端面が摺接する係止面７２、８２を凹陥させて円形のグリス溜り７６、８６を形成するとともに、圧縮コイルバネ６の内周が摺接するボス部８３の外周に細い溝状のグリス溜り８７を設けている。なお、前記凹陥部７５もグリス溜りとして利用できることは勿論である。
　　　【００１８】
　このようにしてなる反力ユニット５の一方のマウント部材７をピン軸５１を介して背支桿４１の基端部４１ａに設けたアーム４３に枢支させるとともに、他方のマウント部材８をピン軸５２を介して座受２に設けた突起部２５に枢支させている。座受２の突起部２５は、図２〜図４に示すように、背支桿４１の基端部４１ａに対向する側にアンダーカット部２５ｂを有する複数の平行なリブ２５ａにより構成されており、圧縮コイルバネ６の弾性を利用してマウント部材８のピン軸５２を前記アンダーカット部２５ｂに係合させ得るようにしている。すなわち、前記各リブ２５ａの後端上縁には、ピン軸５２を案内するカム面２５ｃが形成してあり、反力ユニット５の後端側のピン軸５１をアーム４３に枢着した上で、前端側のピン軸５２を前記カム面２５ｃに当接させて上方から押圧することによって、圧縮コイルバネ６が一時的に縮小してそのピン軸５２が前記アンダーカット部２５ｂに係合するようになっている。
　　　【００１９】
　このような構成のものであれば、背もたれ４を起立係止位置ｓから後方へ傾動させてゆくと、背支桿４１のアーム４３の先端で反力ユニット５の一方のマウント部材７を他方のマウント部材８方向に押圧することになり、該反力ユニット５に圧縮力が加わる。その結果、圧縮コイルバネ６が圧縮されて反発力を強め、その反発力で背もたれ４を起立係止位置ｃ方向に弾性付勢することになる。すなわち、背もたれ４を後方に傾動させるための押圧力を解除すると、前記反力ユニット５の反発伸長力によって、背もたれ４が元の起立係止位置ｃにまで復帰させられる。このようにして反力ユニット５が伸縮する際には、一方のマウント部材７のピン軸部７４が他方のマウント部材８の空洞８４内を摺動して案内されることになり、マウント部材７、８は軸線に沿って接離することになる。よって、圧縮コイルスプリング６が座屈を起こすようなこともなく、適切な反発作用を発揮するものとなる。
　　　【００２０】
　なお、マウント部材は、合成樹脂製のものに限定されるものではなく、例えば、金属ダイキャスト製のもの等であってもよい。
　　　【００２１】
　また、本考案に係る反力ユニットは、椅子の傾動機構以外の機構に組み込んで使用してもよい。」
　
　上記摘記事項を、技術常識を考慮しつつ、本件発明の記載に沿って整理すると、刊行物２には次の発明（以下、「刊行物２記載の発明」という。）が記載されていると認められる。
「圧縮コイルバネに使用される反力ユニットであって、前記反力ユニットは、前記圧縮コイルバネの一端を背支桿の所定位置に位置決めさせるための一方のマウント部材のボス部と、前記圧縮コイルバネの圧縮中に前記圧縮コイルバネが座屈せずに一直線状になるようにピン軸部を受けるために座受に取り付けられた他方のマウント部材のボス部と、この他方のマウント部材のボス部に対し摺動自在に係合するとともに前記一方のマウント部材のボス部の先端から一体に突設したピン軸部とを備える反力ユニット。」
　
４．対比
　本件発明と刊行物２記載の発明とを比較すると、後者の「反力ユニット」は、圧縮コイルバネ、すなわちスプリングが座屈せずに一直線状となるように保持するものであることは明白であるから、前者の「スプリング案内保持装置」に相当するものということができ、したがって、後者の「一方のマウント部材のボス部」、「他方のマウント部材のボス部」及び「ピン軸部」は、前者の「スプリング案内ハウジング」、「スプリング案内ホルダー」及び「スプリング案内ピン」に相当する。また、後者の「背支桿」及び「座受」は、スプリング案内保持装置の各端部がそれぞれ取り付けられる一方及び他方の部材である限りにおいて、前者の「パッドの成形面と反対側の面」及び「上型」と共通する。
　したがって、本件発明と刊行物２記載の発明とは、以下の点において一致及び相違するものということができる。
＜一致点＞
「スプリングに使用されるスプリング案内保持装置であって、前記スプリング案内保持装置は、前記スプリングの一端を一方の部材の所定位置に位置決めさせるためのスプリング案内ハウジングと、前記スプリングの圧縮中に前記スプリングが座屈せずに一直線状になるようにスプリング案内ピンを受けるために他方の部材に取り付けられたスプリング案内ホルダーと、このスプリング案内ホルダーに対し摺動自在に係合するとともに前記スプリング案内ハウジングに取り付けられたスプリング案内ピンとを備えるスプリング案内保持装置。」である点。
＜相違点１＞
　スプリング案内保持装置は、前者では上型と下型とを備え、さらに、スプリングが圧縮された時に加工品に接触する上型と連携するパッドを備えたスタンピング型と連携して使用されるスプリングに使用されるものであって、スプリング案内ハウジングが取り付けられる一方の部材はパッドの成形面と反対側の面であり、スプリング案内ホルダーが取り付けられる他方の部材は上型であるのに対し、後者ではこのようなものでない点。
＜相違点２＞
　スプリング案内ピンは、前者では一方の部材であるパッド内まで連続し、その先端がパッド内に止まるネジによってパッドに取り付けられ、スプリング案内ハウジングをスプリング案内ピンとパッドとの間に挟んで固定しているのに対し、後者ではこのようなものでない点。
　
５．当審の判断
　以下、上記相違点について検討する。
　
5.1　＜相違点１＞について
　刊行物１記載の事項において、「中型」は本件発明の「パッド」に相当するものということができるから、刊行物１には、「上型と下型とを備え、さらに、スプリングが圧縮された時に加工品に接触する上型と連携するパッドを備えたスタンピング型であって、スタンピング型と連携して使用されるスプリングをパッドの成形面と反対側の面と上型との間に備えたスタンピング型。」が記載されているというべきである。そして、刊行物２には、スプリング保持案内装置を他の装置に組み込んで使用してもよい旨の記載がある（明細書段落【００２１】参照。）ことから、これをスタンピング型と連携して使用するスプリングに適用することは、当業者が容易に想到し得る。適用した場合、スプリング案内ハウジングが取り付けられる一方の部材をパッドの成形面と反対側の面とし、スプリング案内ホルダーが取り付けられる他方の部材を上型とすることは、当業者が容易になしえる設計上の選択に過ぎない。
　
5.2　＜相違点２＞
　スプリング案内ピンとスプリング案内ハウジングを別部材とすること、及び、スプリング案内ピンとスプリング案内ハウジングをパッドに固定するための構成は、いずれも刊行物２記載の発明を刊行物１記載のスタンピング型と連携して使用されるスプリングに適用するにあたって、当業者が適宜設計し得る事項に過ぎない。
　なお、請求人は平成２２年１月１２日付意見書において、上記構成について、「パッドの成形面と反対側の面が傾斜しているような場合には、スプリング案内ハウジング３２とスプリング案内ピン３０とが一体であると、スプリング案内ピン３０を垂直に取り付けることができませんが、別体であれば挟持位置が偏りますが、多少の傾斜があっても取り付けることができます。」と効果を主張している。しかしながら、スプリング案内ピンが垂直に取り付けられることは、スプリング案内ピンをパッドにネジ込み固定するためのネジ孔の方向が垂直とされていることによるものと認められ、スプリング案内ピンとスプリング案内ハウジングとを別体とすること、あるいは、スプリング案内ハウジングをスプリング案内ピンによって挟持固定することによるものとは認められないため、上記主張を採用することはできない。また、刊行物２記載の発明では双方のマウント部材をピン軸によって上下の部材に取り付ける（明細書段落【００１８】参照。）ことによって、パッド又は上型の取付け面の傾斜に関わらずスプリング案内ピンを垂直に取り付けることができるため、上記効果も格別のものということはできない。
　
5.3　まとめ
　本件発明には、刊行物２記載の発明及び刊行物１記載の事項に基づいて普通に予測される範囲を超える格別の作用効果を見出すこともできないので、本件発明は刊行物２記載の発明及び刊行物１記載の事項に基づいて当業者が容易に発明をすることができたものである。
　
６．むすび
　以上のとおり、本願の特許請求の範囲の請求項１に係る発明は特許法第２９条第２項の規定により特許を受けることができないから、本願は拒絶すべきものである。
　よって、結論のとおり審決する。